(57)【要約】【課題】包装袋のハウジングに対する挿入深さの管理やチューブの装着作業、溶着を容易に確実に行えるようにし、包装袋に収納された内容物を確実に排出し得るようにする。【解決手段】内袋Ａは、ハウジング取付口１ａを形成した包装袋１と、合成樹脂の一体成形によって構成され、弁機構Ｂの収容部３を設けた筒状部４と，収容部３の底部３ａ側に形成され外形が筒状部４の外径よりも小さい寸法を持った円弧部５ａと延長部５ｂからなる平面投影形状が略菱形の溶着部５と，底部３ａから溶着部の端部から突出するように延長され外径が円弧部５ａの径よりも小さく中心に流通孔６ａを設けた管部材６と，溶着部５の内部で管部材６の外形との間に形成され収容部３に導通する通路７とを設けたハウジング２と、管部材６に装着されるチューブ１４とを有して構成される。【選択図】        図１
2005067668.tif 000002
【特許請求の範囲】
【請求項１】
外缶の内部に可撓性を有し且つ内容物を収納する包装袋を配置し該包装袋と外缶の間に加圧流体を充填する二重構造エアゾール容器の内容物噴射装置であって、該内容物噴射装置が弁機構を収容する筒状部と前記包装袋に溶着される溶着部とを備えるハウジングを有すると共に、該ハウジングの前記溶着部に前記包装袋の内容物収納部に向けて開口する管部材及び開口を設けたことを特徴とする内容物噴射装置。
【請求項２】
前記ハウジングの前記筒状部と前記溶着部と前記管部材とが合成樹脂の一体成形によって構成されたものである請求項１に記載した内容物噴射装置。
【請求項３】
前記溶着部は、円弧部と該円弧部の両端から延長された延長部からなる平面投影形状が略菱形である請求項１又は２に記載した内容物噴射装置。
【請求項４】
前記溶着部の開口が、略菱形の一つ又は二つの前記延長部に設けられたものである請求項３に記載した内容物噴射装置。
【請求項５】
前記溶着部と前記筒状部との接合部に於いて、前記溶着部の円弧部の外径が前記筒部材の外径より小さい請求項１乃至４の何れかに記載した内容物噴射装置。
【請求項６】
前記溶着部の外周に周方向に延設された複数本の凸条を設けた請求項１乃至５の何れかに記載した内容物噴射装置。
【請求項７】
前記ハウジングの管部材を挿入してチューブを装着した請求項１乃至６の何れかに記載した内容物噴射装置。
【請求項８】
前記チューブの開口端に切り込みを設けた請求項７に記載した内容物噴射装置。
【請求項９】
請求項１乃至８の何れかの項に記載した内容物噴射装置を可撓性を有する包装袋の上端に溶着したことを特徴とするエアゾール容器用内袋。
【請求項１０】
前記包装袋が気体遮断層を有する請求項９に記載したエアゾール容器用内袋。
【請求項１１】
前記気体遮断層がアルミ箔である請求項１０に記載したエアゾール容器用内袋。
【請求項１２】
前記包装袋が底部にガゼット折込を有する請求項９乃至１１の何れかに記載したエアゾール容器用内袋。
【請求項１３】
請求項９乃至１２の何れかの項に記載したエアゾール容器用内袋を外缶の内部に配置したことを特徴とするエアゾール容器。 
【発明の詳細な説明】
【技術分野】
【０００１】
本発明は、外缶の内部にエアゾール容器用内袋を配置して一体化させ、該内袋に目的の内容物を収納すると共に前記エアゾール容器用内袋と外缶の間に加圧流体を充填することで、エアゾール容器用内袋に充填された内容物と加圧流体を直接接触させることなく噴射し得るように構成したエアゾール容器と、このエアゾール容器に用いるエアゾール容器用内袋、及び内容物噴射装置に関するものである。
【背景技術】
【０００２】
缶に噴射すべき内容物を充填すると共に噴射剤となる加圧流体を充填し、缶に設けたバルブを操作することによって内容物を霧状に噴霧し、或いは泡状に噴射するエアゾール製品が広く利用されている。このエアゾール製品では内容物と加圧流体が常に接触していることから、内容物が加圧流体によって劣化したり変質するような虞が生じる。このため、充填する内容物と加圧流体を、互いに接触しても安定が保てるようなものを選択するか、或いは両者が直接接触することのない構造を選択することが必要となる。
【０００３】
内容物と加圧流体とが直接接触することのないエアゾール容器として、外缶の内部にエアゾール容器用内袋を配置し、該エアゾール容器用内袋に噴射すべき内容物を収納すると共にエアゾール容器用内袋と外缶の間に噴射剤となる加圧流体を充填した所謂二重構造エアゾール容器が提供されている。この二重構造エアゾール容器では、噴射すべき内容物はエアゾール容器用内袋に充填されることから、加圧流体に直接接触することがないため、加圧流体の性質の如何に関わらず該加圧流体に起因して内容物が劣化したり変質することがない。
【０００４】
例えば特許文献１に開示された技術は、変形可能で且つ非伸長性材料で形成した内部袋体と、弾性ゴム状の巨大分子材料の外部容器と、内部袋体と協働する物質出口と、物質の放出制御を行う弁装置と、内部袋体と協働する芯部とによって構成された噴霧装置に関するものである。この噴霧装置では、内部袋体の内部に芯部を挿入して両者の口部分を一致させた後、内部袋体の口部分の外周部にリングを嵌め込むことによって該内部袋体を芯部に固定している。また芯部の口部分の内部にピストンを挿入した後、内部袋体の口部分の外周部にソケットを固定することで、弁機構を構成している。従って、弁機構を構成する芯部と、ソケットとは別体として形成されており、これらの部材に対する袋体の固定も接着や溶着ではなく、リングを利用した押圧作用によってなされている。
【０００５】
また特許文献２に開示された技術は、スパウト付き袋体とこの袋体を収容した二重構造エアゾール容器に関するものである。この技術は、貫通孔を設けたスパウトの筒状部から直線上の二方向に延出片を設けた略菱形状に形成し、この菱形形状の部分に袋体の開口部をヒートシールしたものである。この技術では、スパウトを略菱型に形成することによって偏平な袋体とのヒートシールを確実に行えるようになっている。
【０００６】
また特許文献３に開示された技術は、外部からの押圧によって変形したり破損することのないディップチューブをエアゾールバルブと一体に或いはハウジングに取り付け、このディップチューブを内部に挿入した内袋を有する外缶よりなる二重構造エアゾール容器に関するものである。この技術では、内袋がフィルムの弱い部分や内容物の空隙のあるところで押しつぶされて変形しても、ディップチューブが存在することで内袋が閉塞することがなく、充填された内容物が残留することなく取り出すことが出来る。
【０００７】
【特許文献１】特開昭５３−８９０１１号公報
【特許文献２】特開平０７−２５１８８１号公報
【特許文献３】特開平０２−１５７０５７号公報
【発明の開示】
【発明が解決しようとする課題】
【０００８】
上記特許文献１の技術は、二重構造エアゾール容器の初期の構造を示すものであり、袋体と弁機構を配置した芯部がリング状の部材による押圧（かしめ）によって一体化されており、また芯部を構成する部材やリング状の部材、或いはソケット等多数の部品を利用して構成されているため、複雑な構造とならざるを得ず、より簡単な構造とすることが求められている。
【０００９】
特許文献２の技術は、スパウトの形状を略菱形に形成することによって、内部袋体をヒートシールする際に、シール長さ、或いはシール面積を大きくとることが可能となり、良好なヒートシールを実現することが出来る。しかし、スパウトが筒状部の下端部分を略菱形状に形成してあるのみであるため、該スパウトに対する内部袋体の挿入深さを管理するのが困難であるという問題がある。
【００１０】
特許文献３の技術は、ディップチューブを設けることによって内袋に充填された内容物を略全量取り出すことが可能となり有効である。しかし、内袋がディップチューブの中間部位でつぶされて閉塞したような場合、該ディップチューブの先端側にある内容物は取り出されるものの、閉塞部よりもディップチューブの先端部分とは反対側にある内容物を取り出すことが出来ないという問題がある。
【００１１】
最近の二重構造エアゾール容器では、ハウジングに穴を形成しておき、この穴にディップチューブを挿入して固定し得るようにしたものが多い。この構造では、ハウジングを成形する材料を少なくすることが可能となり有利であるが、穴の底が外部から視認し得ないためディップチューブを差し込む際に限界が判らず、過大な力を作用させることになったり、力が少なくてチューブが底まで届いていない、というような不具合が生じている。
【００１２】
また二重構造エアゾール容器に用いるハウジングは、バルブ機構を収容し且つディップチューブを取り付ける部品と、内袋を溶着或いは接着する部品と、が異なる部品として形成されているのが一般的であり、これらの部品を接着し、或いはこれらの部品に形成したアンダーカットに代表される係止部を係合することで、互いに一体化している。このため、部品点数が多く、製造工程が多くなるという問題がある。
【００１３】
本発明の目的は、エアゾール容器用内袋を構成する包装袋のハウジングに対する挿入深さの管理やチューブの装着作業を容易とし、且つ包装袋のハウジングに対する溶着を確実に行えるようにし、更に、エアゾール容器用内袋に充填された内容物を確実に排出し得るようにしたエアゾール容器、このエアゾール容器に用いるエアゾール容器用内袋、並びに内容物噴射装置を提供することにある。
【課題を解決するための手段】
【００１４】
上記課題を解決するために本発明に係る内容物噴射装置は、外缶の内部に可撓性を有する包装袋を配置し該包装袋と外缶の間に加圧流体を充填する二重構造エアゾール容器の内容物噴射装置であって、該内容物噴射装置が弁機構を収容する筒状部と前記包装袋に溶着される溶着部とを備えるハウジングを有すると共に、該ハウジングの前記溶着部に前記包装袋の内容物収納部に向けて開口する管部材及び開口を設けたものである。
【００１５】
上記内容物噴射装置に於いて、ハウジングの筒状部と溶着部と管部材とが合成樹脂の一体成形によって構成されることが構造上好ましく、特に、溶着部は円弧部と該円弧部の両端から延長された延長部からなる平面投影形状が略菱形であり、溶着部の開口が略菱形の一つ又は二つの前記延長部に設けられることが好ましい。また溶着部の外周に周方向に延設された複数本の凸条を設けることが好ましい。このように、溶着部を略菱形に形成することによって、延長部に開口を設けることが可能となり、且つ偏平な包装袋を溶着する際の溶着線の長さを充分にとることが出来、更に、ハウジングを包装袋に溶着する際の圧力を凸条に効率良く作用させることが出来る。
【００１６】
また前記溶着部と前記筒状部との接合部に於いて、前記溶着部の円弧部の外径が前記筒部材の外径より小さいことが好ましく、このように構成することによって、ハウジングを包装袋に溶着する際、溶着部の上端と包装袋の上端とを容易に一致させることが出来る。そして、ハウジングから突出する管部材をチューブに挿入してチューブを装着し、更に、前記チューブの開口端に切り込みを設けることが好ましい。このように構成することによって、管部材をチューブに挿入したとき、ハウジングの下端面を該チューブの上端面に接触させることによってストッパーとして機能させ、これにより、管部材のチューブに対する挿入深さを管理することが出来る。またチューブの開口端に切り込みを設けることによって、包装袋の内容物が減少した際に加圧流体によって該チューブが包装袋の内層に押しつけられてもチューブの先端が潰れやすくなるので内層を傷つけることがない。
【００１７】
また本発明に係るエアゾール容器用内袋（以下「内袋」ということがある）は、前述した何れかの内容物噴射装置を可撓性を有する包装袋の上端に溶着したものである。
【００１８】
上記内袋に於いて、包装袋が気体遮断層を有することが好ましく、特に気体遮断層がアルミ箔であることが好ましい。また包装袋が底部にガゼット折込を有することが有利である。このような内袋では、包装袋に収納した内容物と加圧流体とを確実に分離しておくことが可能となり、長期間保存しても、内容物が劣化することがない。
【００１９】
本発明に係るエアゾール容器は、前述の何れかの内袋を外缶の内部に配置したものである。
【発明の効果】
【００２０】
上記内容物噴射装置では、チューブの装着及び包装袋の溶着を確実に行うことが出来る。
【００２１】
また上記内袋では、包装袋の上端（ハウジング取付口）にハウジングに設けた溶着部を挿入すると、包装袋の上端がハウジングの筒状部に当接するため、該筒状部が包装袋のストッパーとしての機能を発揮する。このため、包装袋のハウジングに対する溶着位置を安定させることが出来る。
【００２２】
またハウジングに設けた管部材が溶着部を構成する円弧部の径よりも小さいため、該管部材をチューブに挿入して装着する際にチューブの上端を円弧部に当接させて位置決めすることが出来る。このため、チューブが管部材に対して充分に装着されているか否かを視認して作業を容易に行うと共に確実な装着を実現することが出来る。
【００２３】
またハウジングに於ける溶着部の内部に弁機構を収容する収容部に連通する通路を設けると共に、この通路の開口を溶着部に設けたことによって、包装袋の内部は、底部側がチューブを介して収容部と連通し、ハウジング取付口側が前記通路を介して収容部と連通する。従って、包装袋につぶれが生じて該包装袋が上下に分断されたような場合であっても、底部側にある内容物はチューブを介して、ハウジング取付口側にある内容物はハウジングに設けた通路を介して、夫々収容部と連通し、該収容部を通って外部に排出することが出来る。
【００２４】
またハウジングの溶着部は円弧部と該円弧部の両端から延長された延長部からなる平面投影形状が略菱形であり、その外周に複数本の突条を設けることによって、該溶着部を包装袋に溶着する際に、菱形の形状によって順次溶着部が薄くなるので溶着部の両端部に於いて包装袋の内層に隙間を生ずることなく挟み込むことが出来る。そして突条により溶着時の圧力を集中的に受けることが出来るので、包装袋の溶着部に対する押圧に多少のバラツキが生じても確実な溶着を実現することが出来る。
【発明を実施するための最良の形態】
【００２５】
以下、上記内容物噴射装置と内袋の好ましい形態について説明し、合わせてエアゾール容器について説明する。本発明に係る内容物噴射装置はハウジングを有している。該ハウジングは合成樹脂の一体成形品として形成され、弁機構を収容する筒状部と、包装袋に溶着される溶着部と、を備えている。また本発明に係る内袋は、二重構造のエアゾール容器に利用されるものであり、合成樹脂の一体成形品として形成されたハウジングと、可撓性を有する包装袋とを有し、該包装袋の上端にハウジングの溶着部を溶着して構成されたものである。
【００２６】
そしてハウジングが一体成形品であることから、従来の複数の成形品を組み合わせて構成したハウジングと比較して製造工程を削減することが可能となり、且つハウジングを包装袋に溶着する際、包装袋にハウジングを挿入する位置を安定させることを実現すると共に、チューブをハウジングから突出する管部材に装着する際に該チューブの取付深さを安定させることを実現することが可能である。
【００２７】
特に、ハウジングに設けた弁機構の収容部に連通する通路を設け、この通路を包装袋の内容物収納部に向けて開口して包装袋と連通させたことによって、包装袋につぶれが生じて該包装袋がハウジング取付口側とチューブの先端側とに分断されたような場合であっても、包装袋に充填した内容物を確実に排出することが可能である。
【００２８】
またハウジングに設けた溶着部の外周に複数本の突条を設けることによって、該溶着部に包装袋を溶着する際、溶着時に作用する圧力を集中的に受けるので確実な溶着が可能となる。
【００２９】
包装袋は噴射すべき内容物を収納して保持すると共に気体遮断層によって内容物を保護する機能を有するものであり、内容物が排出されることに伴う内容積の減少に応じて容易に変形し得るように可撓性を有するものである。
【００３０】
包装袋の基材は、溶着可能な合成樹脂層を少なくとも最内層に有する単層又は多層のフィルムからなる。このフィルムは包装袋内の内容物と包装袋外の物質との相互作用を防ぐために気体遮断層を有することが好ましい。気体遮断層は特に制限はなく、塩化ビニリデンやエチレン−ビニルアルコール共重合体などの合成樹脂層、アルミナやシリカなどの酸化物蒸着層、アルミ蒸着やアルミ箔、錫箔などの金属層等を用いることが出来る。これらの気体遮断層のうちアルミ箔が取り扱いや入手が容易で、気体遮断性能に優れているので好ましい。気体遮断層は共押出や押出ラミネート、ドライラミネートなどの方法でラミネート積層体として用いられることが好ましい。これらのフィルムを重畳したり折り畳んで周囲を溶着すると共に、一部にハウジングの溶着部を挿入し得るハウジング取付口を形成することで構成されている。
【００３１】
包装袋の寸法は特に限定するものではなく、内容物の容量や外缶のサイズに対応させて適宜設定される。また、包装体の形状も特に制限はなく通常の平袋、背貼り袋、ガゼット袋、底ガゼット袋、などを採用出来る。これらの形状の内、内容物の充填、及び内容物の排出に伴って円滑に変形すること、外缶に挿入する際の作業性が良いことなどの理由から底ガゼット袋が好ましい。そして、底ガゼット部にはＲ形状のシールや斜めのコーナーシールが施されていると内容物の残存量が少なく、より好ましい。
【００３２】
本発明に於いて、包装袋を構成する合成樹脂フィルムの材料や、金属箔の材料を限定するものではなく、充填すべき内容物の性質に対応させて最適なものを選択することが好ましい。
【００３３】
包装袋は、フィルムを溶着して形成され、且つ合成樹脂製品からなるハウジングを溶着するため、少なくとも包装袋の最内層は高い溶着性能を有し、且つハウジングを構成する合成樹脂材料に対して良好な溶着性能を有することが必要である。高い溶着性能を有し、適度な強度，可撓性を有する材料としてポリエチレン（ＰＥ）やポリプロピレン（ＰＰ）などのポリオレフィン或いは香気成分を吸収しにくいポリエチレンテレフタレート（ＰＥＴ）等があり、これらの材料を選択的に採用することが可能である。
【００３４】
また包装袋のフィルムは、内容物の充填、及び内容物の排出に伴って円滑に変形することが必要となる。このため、可撓性と適度な強度を有することが必要である。
【００３５】
特に、二重構造のエアゾール容器の内袋として、物理的な強度面から最も外側にＰＥＴを用い、このＰＥＴ層に耐ピンホール層としてナイロンを積層し、更に、ナイロン層にアルミニウムの箔をドライラミネートで積層し、最も内側の層としてＰＰ層を積層したラミネート積層体を用いることが好ましい。尚、ＰＰ層はハウジングを強度や硬度に優れ包装袋の最内層と溶着可能な樹脂としてＰＰ樹脂を選択するためであり、ハウジングがＰＥ樹脂で差し支えない場合はＰＥ層に代えても何ら問題が生じることはなく、更に、前述したＰＰやＰＥと同様に、同じ系統の合成樹脂材料からなる組み合わせとなるようにフィルム最内層樹脂とハウジングの樹脂を適宜選択することで種々の合成樹脂を好ましく利用することが可能である。
【００３６】
ハウジングは、弁機構を収容する収容部と、包装袋を溶着する溶着部と、チューブを装着する管部材とを一体的に成形したものである。このように、前記各部位を一体的に成形したハウジングを構成することで、部品点数を減らすと共に組み立て工程を排除して製造の合理化を実現することが可能となる。
【００３７】
ハウジングを構成する材料は特に限定するものではない。しかし、上述したように包装袋との良好な溶着を実現するには包装袋の内層を構成する合成樹脂フィルムとの溶着性能を重視する必要があり、且つ成形性能を確保する必要もある。このような材料としてはＰＰやＰＥ等があり、いずれも好ましく利用することが可能である。
【００３８】
ハウジングは内部に有底の収容部を形成した筒状部と、筒状部に連続して形成された溶着部と、溶着部の略中心を貫通して突出形成された管部材とを有している。管部材の中心には収容部の底部を貫通する流通孔が、また、管部材とは別に、溶着部の内部には収容部の底部を貫通する通路が形成され、該通路が包装袋の内容物収納部に向けて溶着部に於いて開口することが好ましい。この開口又は開口と通路は略菱形の溶着部の端部延長部に設けられることがより好ましい。このように、ハウジングに管部材と開口を形成することによって、管部材にチューブを装着したとき、該チューブによってハウジングから遠方の内容物を排出することが可能となり、ハウジングに設けられた開口を介してハウジングの近傍の内容物を排出することが可能となる。
【００３９】
ハウジングに形成された溶着部は、包装袋のハウジング取付口に挿入され、該包装袋の外部からヒートシールバー等を押圧させることによって表面側の一部を溶融させて一体化させるための部位である。包装袋はフィルムを重畳したり折り畳んで形成されるため、偏平状の袋として構成されているため、ハウジング取付口を構成する部位も円形ではなく偏平な開口端である。このため、ハウジングに設けた溶着部の形状も包装袋のフィルムに挟み込みやすい形状であると、該ハウジング取付口に無理な力を作用させることがなく好ましい。
【００４０】
従って、ハウジングに形成された溶着部は、平面投影形状（ハウジングの軸方向に対して直角方向の面に投影した形状）が、円弧部と、該円弧部から中心を通る直線に沿った二方向に延長部を形成した略菱形となるように形成されている。
【００４１】
溶着部を構成する円弧部は、ハウジングの筒状部の外径よりも小さい径を持って形成されており、筒状部との間に段差を設けている。この段差は包装袋のハウジング取付口に溶着部を挿入したときのストッパーとして機能するものであり、これにより、包装袋をハウジングに溶着する際の溶着位置のバラツキを無くすことが可能となる。
【００４２】
溶着部の外形形状は上記の如く、略菱形形状であることが好ましい。そして、包装袋との溶着性能を向上させ、確実な溶着を実現するためには、外周に複数本の突条を設けることがより好ましい。突条の数や、高さ寸法及び幅寸法等は特に限定するものではなく、予め要求されるハウジングと包装袋との溶着強度を満足する数，寸法であることが好ましい。
【００４３】
溶着部の外周に複数本の突条を設けた場合、該溶着部に包装袋を溶着する際に加熱したとき、シール歯形の圧力が突条に集中し易く、従って、突条を容易に溶融させることが可能となり、溶着部に対する包装袋の溶着を確実に行うことが可能となる。
【００４４】
筒状部の内部に形成された弁機構を収容する収容部の底部から溶着部の略中心を貫通して管部材が形成されており、該管部材の端部は溶着部の端部から突出して包装袋の内容物収納部に向けて開口している。管部材の外径は溶着部に於ける円弧部の径よりも小さく、溶着部の端部と管部材との間に段部が形成される。この段部は管部材にチューブを装着する際のストッパーとしての機能を発揮するものである。
【００４５】
溶着部が略菱形形状に形成されることから、該溶着部の菱形に延長された部分の内部であって管部材の外周との間にハウジングの筒状部に設けた収容部の底部に到達する隙間を形成することが可能となる。この隙間はハウジングの下端で包装袋の内容物収納部に向けて開口し、更に、底部を貫通して隙間と収容部を導通する通路を形成することが可能となる。ハウジングをこのように構成することによって、収容部は、管部材とは別ルートの通路を介して外部と導通することとなる。従って、溶着部に包装袋を溶着したとき、管部材、ハウジングの開口は夫々包装袋の内部と導通する。
【００４６】
管部材に装着するチューブは包装袋に充填された内容物を排出する機能を有するものである。このため、チューブの先端は少なくとも包装袋の深さ方向の中央よりも深い位置に到達し得る長さであることが好ましい。またチューブは、包装袋につぶれが生じた場合に該包装袋が圧接しても、変形することのない程度の強度を有することが好ましい。
【００４７】
上記の如きチューブを用いることによって、包装袋につぶれが生じて包装袋が上下に分断されたような場合であっても、包装袋の底側に於ける内容物の流通路を確保することが可能となる。またハウジングに形成された通路の開口が包装袋のハウジング取付口側に存在することから、包装袋につぶれが生じた場合であっても、ハウジング取付口側に於ける内容物の通路を確保することが可能となる。このため、包装袋に充填された内容物を確実に排出することが可能である。
【００４８】
またチューブの先端は変形し易いようにＶ字状に切り込みをしておくことが好ましい。このような切り込みをしておくことで、内容物の充填に先立って包装袋を真空吸引したとき、或いは、内容物を排出していく過程で包装袋が萎んでチューブの先端に包装袋の内層が圧接しても、チューブが容易に変形するため、包装袋に皺を形成したり、内層を構成する合成樹脂フィルムに傷を付けることがない。
【実施例１】
【００４９】
次に、第１実施例に係る包装袋構造体の構成について図を用いて説明する。図１は内袋の構成を説明する図である。図２はハウジングとチューブの構成を説明する断面図である。図３は図２のIII −III 矢視図である。図４はハウジングの外形形状を説明する図であり図２のIV−IV矢視図である。図５はチューブを取り付ける前のハウジングを管部材側から見た斜視図である。図６は包装袋の層構成を説明する図である。図７は二重構造のエアゾール容器の構成を模式的に説明する図である。
【００５０】
図１〜図６に於いて、内袋Ａは、予め設定された寸法を持って形成された包装袋１を有して構成されている。包装袋１は、合成樹脂フィルムとアルミ箔とをドライラミネートして４層に構成したラミネート積層体を用い、底部にガゼット折込みを形成し、周囲を熱溶着して成形されている。そして包装袋１の上端にハウジング取付口１ａが形成されている。尚、包装袋１は底部が必ずしもガゼット折込みである必要はなく、単なる平袋であっても良い。
【００５１】
特に、包装袋１は図６に示すように、表側にＰＥＴフィルムからなるＰＥＴ層１ｃが形成され、該ＰＥＴ層１ｃの内側に耐ピンホール層としてナイロン層１ｄが形成され、更に、ナイロン層１ｄの内側に気体遮断層としてアルミニウムの箔を積層してアルミ層１ｅが形成され、最も内側の層としてＰＰ層１ｆが形成されたラミネート積層体を用いている。
【００５２】
ハウジング２は、内部に弁機構Ｂを収容する収容部３を形成した筒状部４と、筒状部４の端部に形成された溶着部５と、溶着部５を貫通して形成された管部材６と、溶着部５の内部であって管部材６との間に形成された通路７とを有してＰＰ樹脂で一体に成形されている。特に、溶着部５は円弧部５ａと延長部５ｂとによって略菱形形状に形成され、外周に複数本の突条８が形成されている。
【００５３】
収容部３は、内部に弁機構Ｂを収容するために上端側が開放され、底部に底板３ａが設けられている。この底板３ａには溶着部５側に管部材６が形成され、該管部材５に形成した流通孔６ａが貫通して形成されている。また底板３ａの、溶着部５の内部と管部材６の外周に対応した位置には、通路７と導通する通路７ａが形成されている。従って、収容部３は、管部材６の流通孔６ａと、通路７ａとによって包装袋１に導通している。
【００５４】
収容部３に収容される弁機構Ｂの構成は特に限定するものではない。本実施例では、外部に連通する穴９ａ，９ｂを有するステム９と、ステム９を上方に付勢するバネ１０と、ステム９の穴９ｂと対向して配置され該ステム９の上下動に伴って穴９ｂを閉鎖し或いは開放する閉鎖部材１１とを有して構成されている。
【００５５】
閉鎖部材１１は収容部３の開口端部に配置されている。収容部３の開口端部はハウジング２の筒状部４の上端と一致しており、筒状部４の上端側に形成された突起部４ａにマウンテンカップ１３を被せてかしめることで、ステム９，バネ１０，閉鎖部材１１を夫々所定位置に配置して弁機構Ｂを構成することが可能である。
【００５６】
上記の如く構成された弁機構Ｂでは、図２の中心線から左側に示すように、ステム９がバネ１０に付勢されて上方の移動限にある場合、閉鎖部材１１がステム９の穴９ｂを閉鎖して収容部３と外部との導通を阻止している。また図２の中心線から右側に示すように、ステム９が下方に押し下げられたとき、閉鎖部材１１が変形してステム９の穴９ｂを開放し、収容部３を介して包装袋１の内部と外部とが導通して該包装袋１に充填された内容物が排出される。
【００５７】
溶着部５の平面投影形状は図３に示すように、円弧部５ａと、延長部５ｂとならなる略菱形に形成されている。円弧部５ａの径は筒状部４の外径よりも小さく、延長部５ｂの全長は筒状部４の外径よりも大きい。特に、円弧部５ａの径が筒状部４の外径よりも小さいことは必須であるが、延長部５ｂの全長については特に限定するものではない。
【００５８】
上記の如く、溶着部５の円弧部５ａの径が筒状部４の外径よりも小さいことから、図４に示すように筒状部４の端面４ｂが溶着部５との間の段差部として形成され、該端面４ｂを、溶着部５に包装袋１を溶着する際のストッパーとして利用することが可能となる。
【００５９】
管部材６は収容部３の底板３ａから一体的に突出形成されており、端部６ｂが溶着部５の端面５ｃから充分離隔した位置に配置されている。この管部材６は溶着部５の円弧部５ａとの間に隙間を形成する必要はなく、溶着部５と一体的に形成されていても良い。しかし、溶着部５の延長部５ｂとの間には、通路７を形成することが必要である。
【００６０】
特に、管部材６にはチューブ１４が装着される。この管部材６に装着したチューブ１４の外径は溶着部５の円弧部５ａと略等しいか或いは小さいことが好ましい。このため、管部材６の外径は溶着部５の円弧部５ａの径と比較するとチューブ１４の肉厚分小さくなっており、溶着部５の端面５ｃとの間に段差が形成されている。
【００６１】
管部材６にはチューブ１４が装着されている。このチューブ１４は長さが包装袋１の深さ方向に於ける中央部位よりも深い位置になるような寸法を有している。そして管部材６にチューブ１４を装着する際には溶着部５の端面５ｃがチューブ１４のストッパーとしての機能を発揮することが可能となる。またチューブ１４の先端１４ａには、該先端１４ａを変形し易くするための切り込み１５が形成されており、包装袋１がつぶれ、或いは萎んだときに、チューブ１４の先端１４ａも一緒に変形して包装袋１に傷を付けることがない。
【００６２】
次に、内袋Ａを構成する際の手順について簡単に説明する。ハウジング２の収容部３に弁機構Ｂを構成する部材を収容すると共にマウンテンカップ１３を取り付けておく、この状態で、管部材６にチューブ１４を装着するが、このとき、チューブ１４を管部材６に差し込んで端部が溶着部５の端面５ｃに当接することを確認して確実な装着作業を実現することが可能である。
【００６３】
次に、包装袋１に設けたハウジング取付口１ａを拡大しておき、このハウジング取付口１ａにハウジング２をチューブ１４側から挿入する。ハウジング２の包装袋１に対する挿入は、該包装袋１の端部が筒状体４の端面４ｂに当接するまで行われ、包装袋１が端面４ｂに当接したことを確認して挿入を停止する。
【００６４】
次いで、包装袋１のハウジング取付口１ａの外周に図示しないヒートシールバーを押し当てることで、溶着部５の外周に形成された突条８を溶融させると共に溶着部５そのものを、及び包装袋１の内層を構成する合成樹脂層を溶融して溶着する。これにより、図１に示す内袋Ａが構成される。
【００６５】
上記内袋Ａは、図５に示すように、缶２１に収容されると共にマウンテンカップ１３が缶２１にかしめられて一体化している。また缶２１と包装袋１との間に形成された空隙２２には加圧流体が充填され、該加圧流体によって包装袋１に力が作用している。弁機構Ｂを構成するステム９にはノズル２３が装着されて二重構造のエアゾール容器Ｃが構成される。
【００６６】
上記の如く構成された二重構造のエアゾール容器Ｃでは、内袋Ａを構成する包装袋１の内部空間は、チューブ１４，管部材６の流通孔６ａを介して、及びハウジング２に設けた通路７，７ａを介して収容部３と導通している。従って、使用者がノズル２３を押し下げ操作すると、収容部３の内部が大気圧となり、包装袋１との圧力差によって該包装袋１に充填された内容物が収容部３を経てノズル２３から大気に排出される。
【００６７】
特に、包装袋１は底側とハウジング取付口１ａ側の両端部分で収容部３と導通することとなり、何らかの原因により包装袋１につぶれが生じて内部が分断されたような場合であっても、包装袋１の底側と上部側から内容物を収容部３に導通させて外部に排出することが可能となる。
【産業上の利用可能性】
【００６８】
上記の如く構成された内袋Ａは、内容物と噴射剤とを分離して充填することが好ましいエアゾール製品に利用することが可能であり、内容物を噴射する際に缶を逆さまにする可能性があるようなエアゾール製品に利用することが可能である。
【図面の簡単な説明】
【００６９】
【図１】内袋の構成を説明する図である。
【図２】ハウジングとチューブの構成を説明する断面図である。
【図３】図２のIII −III 矢視図である。
【図４】ハウジングの外形形状を説明する図であり図２のIV−IV矢視図である。
【図５】ハウジングを管部材側から見た斜視図である。
【図６】包装袋の層構成を説明する図である。
【図７】二重構造エアゾール容器の構成を模式的に説明する図である。
【符号の説明】
【００７０】
Ａ                      内袋
Ｂ                      弁機構
Ｃ                      二重構造のエアゾール容器
１                      包装袋
１ａ                    ハウジング取付口
２                      ハウジング
３                      収容部
３ａ                    底板（図面記入済）
４                      筒状部
４ａ                    突起部
４ｂ                    端面
５                      溶着部
５ａ                    円弧部
５ｂ                    延長部
５ｃ                    端面
６                      管部材
６ａ                    流通孔
７，７ａ                通路
８                      突条
９                      ステム
９ａ，９ｂ              穴
１０                    バネ
１１                    閉鎖部材
１３                    マウンテンカップ
１４                    チューブ
１４ａ                  先端
１５                    切り込み
２１                    缶
２２                    空隙
２３                    ノズル
【図１】
2005067668.tif 000003
【図２】
2005067668.tif 000004
【図３】
2005067668.tif 000005
【図４】
2005067668.tif 000006
【図５】
2005067668.tif 000007
【図６】
2005067668.tif 000008
【図７】
2005067668.tif 000009